(57)【特許請求の範囲】
【請求項１】
肛門より体内に挿入される筒体に手動で筒体の先端から突出するように進退する進退筒部を嵌入し、同進退筒部の先端部の開口を閉鎖又は縮小する膨縮可能な内側バルーンを設け、筒体の先端から進退筒部を突出させて腸内物を進退筒部内に取り込み内側バルーンを膨張させて腸内物を収容しながら進退筒部を筒体内に後退するようにして腸内物を体外に取り出す手技式排便装置。
【請求項２】
進退筒部の先端部が人体と直接接触しないようにする膨縮可能な外側バルーンを進退筒部の先端部外周に設けた構造にした請求項１記載の手技式排便装置。
【請求項３】
筒体内部と連通させるように筒体の後端側に排出用容器を接続し、進退筒部に取り込んだ腸内物を排出用容器に排出して溜めるようにした請求項１又は２記載の手技式排便装置。
【請求項４】
筒体に排出用容器を脱着自在に接続するようにした請求項３記載の手技式排便装置。
【請求項５】
肛門に筒体を固定するための膨縮可能な固定用バルーンを筒体外周に設けた請求項１〜４いずれかに記載の手技式排便装置。
【請求項６】
進退筒部後端より後方に伸びる長い部材を設けて進退筒部の操作部とした構造の請求項１〜５いずれかに記載の手技式排便装置。
【請求項７】
内側バルーン及び外側バルーンに空気を注入・注出するためのエアーパイプを進退筒部後端より後方に伸びるようにそれぞれ設け、前記エアーパイプが進退筒部の操作部を兼ねるようにした請求項１〜５いずれかに記載の手技式排便装置。
【請求項８】
筒体と進退筒部が二重構造であり、排出用容器が取手として使用できる構造にした請求項３〜７いずれかに記載の手技式排便装置。
【発明の詳細な説明】
【０００１】
【発明の属する技術分野】
本発明は、腸内から排出されない便や薬剤などの腸内物を肛門より体内に挿入した筒体内から手動で突出させた進退筒部内に収容するようにして強制的に体外に排出する手技式排便装置に関する。
【０００２】
【従来の技術】
従来において、肛門より体内に筒体を挿入し、手動の取り込み手段によって腸内物を筒体内に取り込む際には、取り込み部分を見ることができないため手動操作は難しいものであった。また、操作に時間がかかると筒体を肛門に挿入している時間が長くなることは、処置されている人にとって非常につらいものであった。
【０００３】
【発明が解決しようとする課題】
本発明が解決しようとする課題は、従来のこれらの問題点を解消し、簡単な操作で腸内物を確実に人体外に排出でき、処置時間を短くでき処置される人の楽な手技式排便装置を提供することにある。
【０００４】
【課題を解決するための手段】
かかる課題を解決した本発明の構成は、
１）  肛門より体内に挿入される筒体に手動で筒体の先端から突出するように進退する進退筒部を嵌入し、同進退筒部の先端部の開口を閉鎖又は縮小する膨縮可能な内側バルーンを設け、筒体の先端から進退筒部を突出させて腸内物を進退筒部内に取り込み内側バルーンを膨張させて腸内物を収容しながら進退筒部を筒体内に後退するようにして腸内物を体外に取り出す手技式排便装置
２）  進退筒部の先端部が人体と直接接触しないようにする膨縮可能な外側バルーンを進退筒部の先端部外周に設けた構造にした前記１）記載の手技式排便装置
３）  筒体内部と連通させるように筒体の後端側に排出用容器を接続し、進退筒部に取り込んだ腸内物を排出用容器に排出して溜めるようにした前記１）又は２）記載の手技式排便装置
４）  筒体に排出用容器を脱着自在に接続するようにした前記３）記載の手技式排便装置
５）  肛門に筒体を固定するための膨縮可能な固定用バルーンを筒体外周に設けた前記１）〜４）いずれかに記載の手技式排便装置
６）  進退筒部後端より後方に伸びる長い部材を設けて進退筒部の操作部とした構造の前記１）〜５）いずれかに記載の手技式排便装置
７）  内側バルーン及び外側バルーンに空気を注入・注出するためのエアーパイプを進退筒部後端より後方に伸びるようにそれぞれ設け、前記エアーパイプが進退筒部の操作部を兼ねるようにした前記１）〜５）いずれかに記載の手技式排便装置
８）  筒体と進退筒部が二重構造であり、排出用容器が取手として使用できる構造にした前記３）〜７）いずれかに記載の手技式排便装置
にある。
【０００５】
【作用】
本発明では、まず、筒体を肛門より人体内に挿入する。次に筒体の先端より進退筒部を進出させる。これにより腸内物を進退筒部の先端の開口より進退筒部の内部に誘導する。腸内物を進退筒部の内部に誘導したならば、内側バルーンを膨張させて進退筒部の開口を閉鎖又は縮小して、進退筒部内に誘導した腸内物が腸内に戻らないようにし、この状態で進退筒部を後退させて、進退筒部ごと筒体に移動させて腸内物を筒体内に取り込む。
外側バルーンを設けたものは、進退筒部を腸内で筒体から進出させる際に外側バルーンが腸に接触することはあっても、進退筒部が直接腸に当たることがないようにして、腸を傷つけることがないようにする。
筒体の後端側に排出用容器を接続したものは、筒体の後方に送られる腸内物を排出用容器内に収容する。
排出用容器を脱着自在にしたものは、腸内物を収容した排出用容器を筒体から取りはずして処理できるようにする。
固定用バルーンを設けたものは、肛門より人体に挿入した筒体を人体に固定し、かつ腸内物が外部にもれないようにする。
進退筒部より後方に伸びる長い部材を設けて操作部としたものは、操作部の押し引きによって進退筒部の進出・後退を行うようにする。
筒体と進退筒部が二重管構造であり、排出用容器が取手として使用できるものは、簡単な構造で筒体から進退筒部が突出するようにでき、排出用容器を取っ手として持って使用することができる。
【０００６】
【発明の実施の形態】
筒体や進退筒部は、人体を傷つけることがないように軟質な樹脂製にするのが好ましく、軟質の度合いについては機能や安全性などから決めればよい。内側バルーン、外側バルーン、固定用バルーンは空気を注入・注出して膨縮させてもよいし、水や人体に無害な液体を注入・注出して膨縮させるようにしてもよい。
固定用バルーンは、人体の外部に位置させるようにしてもよいし、人体の内部と外部に位置させるように２箇所に設けて肛門を内部と外部から挟むようにして筒体を人体に固定するものでもよい。
排出用容器は、筒体に対して脱着自在なものが好ましく、洗浄して再利用しても、廃棄するようにしてもかまわない。また、排出用容器は袋状のものを取り付けて袋状のものごと廃棄するようなものでもよい。さらに処置して排出する量が少ない場合には、排出用容器を筒体に取り付けないで使用するようにしてもよい。
【０００７】
【実施例】
本発明の実施例について図面を参照して具体的に説明する。
図１〜４に示すのは、進退筒部の先端部の外周に外側バルーンを設け、進退筒部先端部内周に内側バルーンを設け、筒体の後端側に排出用容器を接続し、筒体外周の２箇所に固定用バルーンを設けた手技式排便装置の例である。
図１は実施例の手技式排便装置の断面図である。図２は実施例の手技式排便装置の進退筒部を筒体に収容した状態を示す断面図である。図３は図２のＡ−Ａ断面図である。図４は実施例の手技式排便装置を用いて処置を行う状態を示す説明図である。
図中、１は手技式排便装置、２は筒体、２ａは排出用容器の円筒部、２ｂは円筒部、３は進退筒部、３ａは先端開口部、３ｂは後方開口部、３ｃは操作部、４は内側バルーン、５は外側バルーン、６は固定用バルーン、７は内側バルーン用のエアーパイプ、８は外側バルーン用のエアーパイプ、９は固定用バルーン用のエアーパイプ、１０は排出用容器、ａは腸内物、ｈは人である。
【０００８】
実施例の手技式排便装置では、まず、筒体２を設ける。筒体２は排出用容器と一体となった円筒部２ａと円筒部２ｂとで形成される。円筒部２ｂは図１〜３に示すように肛門から人体に挿入できる径となるように設ける。次に、この円筒部２ｂの内穴に差し込むようにして円筒部２ｂに接続できる円筒部２ａを設ける。
次に円筒部２ａの後方下側に内部空間を有する排出用容器１０を内部空間と円筒部２ａの内部が連通するように設ける。また、円筒部２ａの後端に壁面を設けて、円筒部２ａの内部とそれに連通する排出用容器１０の内部空間は、円筒部２ａの前端部分のみで外部と連通するようにする。
次に筒体２の円筒部２ａ，２ｂの内部に挿入できる外径の円筒形状である進退筒部３を設ける。進退筒部３は図１，２に示すように円筒体の前端で内穴を外部に開放するよう開口した先端開口部３ａを設け、後端には内穴を塞ぐ壁面を設ける。この進退筒部３を筒体２の円筒部２ａ，２ｂに挿入し、進退筒部３の後端を円筒部２ａの後端に近づけるように進退筒部３を円筒部２ａに深く挿入した際に筒体２の内部に位置する進退筒部３の下部に、排出用容器１０の内部空間と進退筒部３の内穴が連通するように後方開口部３ｂを設ける。
次に、進退筒部３の後端から後方に伸びる長い棒状の操作部３ｃを設ける。操作部３ｃは、円筒部２ａの後端壁面に貫通穴を設け同貫通穴を貫通して筒体２の外部後方に伸びるように設ける。
【０００９】
次に、進退筒部３の内穴の先端部分に環状の内側バルーン４を進退筒部３の内穴内周に固定するように設ける。内側バルーン４は空気の注入・注出で膨縮するものである。
次に進退筒部３の外周の先端部分に環状の外側バルーン５を進退筒部３の外周に固定するように設ける。外側バルーン５は空気の注入・注出で膨縮するものである。
内側バルーン４にエアーを注入・注出するためのエアーパイプ７と、外側バルーン５にエアーを注入・注出するためのエアーパイプ８は進退筒部３の内穴の上下の内周に取り付けるようにし、進退筒部３の後端を貫通させてさらにエアーパイプ７，８を後に伸延させ、筒体２の円筒部２ａの後端も貫通させて筒体２のさらに外部後方に伸延させるようにする。
次に筒体２の円筒部２ｂの前方２箇所に所定の間隔をあけて固定用バルーン６を設ける。固定用バルーン６は、空気注入・注出で膨縮するものである。次に、固定用バルーン６に空気を注入・注出するためのエアーパイプ９を設ける。
【００１０】
本実施例の手技式排便装置１を使用して処置する人の排便を行うためには、まず、図２，４に示すように筒体２の円筒部２ｂに進退筒部３が収容された状態で処置する人の肛門から所定の位置まで体内に挿入する。この際には、円筒部２ｂの外周に設けた固定用バルーン６の前方のものが体内に位置し、後方の固定用バルーン６が体外に位置するようにする。次に、体内に位置する方の固定用バルーン６にエアーパイプ９でエアーを送って膨張させ、次に、体外に位置する方の固定用バルーン６にエアーパイプ９でエアーを送って膨張させる。このようにして肛門の両側で固定用バルーン６を膨張させ、肛門を挟むようにして固定する。また、体内で膨張させた固定用バルーン６によって、処置中に肛門から腸内物が漏れないように止める。これによって、非常に清潔に処置することができ、手技式排便装置１の人体への固定を容易にできる。
このようにして手技式排便装置１を人体に固定したならば、エアーパイプ８で外側バルーン５に空気を送って、外側バルーン５を膨張させる。
外側バルーン５を膨張させたならば、操作部３ｃを処置する人が手で持って操作部３ｃを押すようにして進退筒部３を腸内に向って進出させる。この進出の際には、外側バルーン５を膨張させていることによって、腸に直接進退筒部３が当たらないので、腸を傷つけないことがないようにしている。よって安全に容易に処置できる。さらに、このように進退筒部３を進出させることによって、進退筒部３の先端開口部３ａから進退筒部３の内部に腸内物ａを取り込む。
【００１１】
次に  エアーパイプ７で内側バルーン４に空気を送って、内側バルーン４を膨張させる。膨張した環状の内側バルーン４の内径は非常に小さいので進退筒部３の内部に取り込んだ腸内物ａを保持する。
この状態で、操作部３ｃを処置する人が後方に引くようにして、進退筒部３を後退させて、円筒部２ｂ内に収容されるようにする。これによって、進退筒部３の後方開口部３ｂが排出用容器１０と連通した状態となり、進退筒部３の内部に取り込んだ腸内物ａは後方開口部３ｂより落下するようにして排出容器１０内に収容される。
次に内側バルーン４から空気を注出して内側バルーン４を収縮させ、再度進退筒部３の進出を行ない、取り込む動作を繰り返して腸内物を次々と取り込んで排出用容器１０に収容する。このように、腸内物を取り込む操作は非常に簡単であり、かつ確実に腸内物を取り込むことができる。
このようにして、腸内物を人体より排出し排出用容器１０に収容したならば、外側バルーン５，固定用バルーン６から空気を注出して収縮させて、引き抜くようにして人体より取りはずして処置を終了する。排出した腸内物を排出用容器１０に一時的に溜めるようにすることで、非常に清潔に処置が行え、処置される人も不快な思いをしなくて済む。また、その後の処理も容易になる。また、排出用容器１０は円筒部２ａと円筒部２ｂを取りはずすことによって固定用バルーン６を取り付けている筒体部分から取りばずせるので、この状態で内部に溜めた腸内物とともに廃棄してもよいし、洗浄にも便利である。
このように本実施例の手技式排便装置１では、容易な操作で確実に腸内物を排出できるので、処置時間を非常に短縮できる。よって、処置される人が非常に楽になる。
【００１２】
図５に示すのは、進退筒部から後方に伸延される内側バルーン及び外側バルーンに空気を注入・注出するエアーパイプが操作部を兼ねる手技式排便装置の実施例の他の例である。
実施例の他の例では、エアーパイプ７，８が操作部を兼ねるようにし、エアーパイプ７，８の押し引きで進退筒部３を進退させるようにしている。
このようにエアーパイプが操作部を兼ねるようにしてもよい。
【００１３】
【発明の効果】
本発明によれば、簡単な操作で腸内物を確実に筒体内に取り込むことができ、処置時間を短くでき処置される人が楽な手技式排便装置にできる。
外側バルーンを設けたものは、より安全に腸内物の排出が行えるようにする。
筒体の後端側に排出用容器を接続したものは、清潔に処置を行うことができ、人体より排出した腸内物のその後の処理を容易に行えるようにできる。
排出用容器を脱着自在にしたものは、人体より排出した腸内物の処理を容易に行うことができる。
固定用バルーンを設けたものは、さらに短い時間で処置でき、さらに清潔に処置ができる。
進退筒部より後方に伸びる長い部材を設けて操作部としたものは、さらに容易な操作にすることができる。
内側バルーンと外側バルーンのエアーパイプが操作部を兼ねるようにしたものは、操作部を別に設けなくてもよいようにしてコストを抑制する。
筒体と進退筒部が二重管構造であり、排出用容器が取手として使用できるものは、コストを抑制し、より使用しやすい手技式排便装置にできる。
【図面の簡単な説明】
【図１】実施例の手技式排便装置の断面図である。
【図２】実施例の手技式排便装置の進退筒部を筒体に収容した状態を示す断面図である。
【図３】図２のＡ−Ａ断面図である。
【図４】実施例の手技式排便装置を用いて処置を行う状態を示す説明図である。
【図５】実施例の手技式排便装置の他の例の断面図である。
【符号の説明】
１  手技式排便装置
２  筒体
２ａ  （排出用容器の）円筒部
２ｂ  円筒部
３  進退筒部
３ａ  先端開口部
３ｂ  後方開口部
３ｃ  操作部
４  内側バルーン
５  外側バルーン
６  固定用バルーン
７  （内側バルーン用）エアーパイプ
８  （外側バルーン用）エアーパイプ
９  （固定用バルーン用）エアーパイプ
１０  排出用容器
ａ  腸内物
ｈ  人
【図１】
0004542684.tif 000002
【図２】
0004542684.tif 000003
【図３】
0004542684.tif 000004
【図４】
0004542684.tif 000005
【図５】
0004542684.tif 000006